(57)【要約】【課題】本発明は、身長の高い人から低い人が使用する場合、あるいは、異なる用途で使用する場合に、使い易い高さで使用することができ、さらには、これらの使用者が同時に使用する場合にも、何れの使用者も不便を感じることがなく、簡易で安価な構成を用い、しかも、意匠性を害することない補助カウンター付きのキッチン用キャビネットを、提供することを目的とする。【解決手段】本発明は、シンクとコンロとを備えるワークトップと、このワークトップの下に配置されたキャビネットとを有し、このキャビネットの主作業側である台所側、及びこれと対向する居室側の何れもが、壁に面していないキッチン用キャビネットにおいて、前記キャビネットの居室側に複数の補助天板を有し、それらの補助天板の少なくとも一つが、その高さを段階的に調整可能とされたキッチン用キャビネットである。【選択図】  図１
2008212171.tif 000002
【特許請求の範囲】
【請求項１】
シンクとコンロとを備えるワークトップと、
このワークトップの下に配置されたキャビネットとを有し、
このキャビネットの主作業側である台所側、及びこれと対向する居室側の何れもが、壁に面していないキッチン用キャビネットにおいて、
前記キャビネットの居室側に複数の補助天板を有し、
それらの補助天板の少なくとも一つが、その高さを段階的に調整可能とされたキッチン用キャビネット。
【請求項２】
請求項１において、
少なくとも一つの補助天板が、その下に設けられたアンダーステーと垂直ラチェット式の金具によって支持され、
この垂直ラチェット式の金具が１段ずつ上昇または下降できることによって、
前記補助天板の高さが段階的に選択可能となるキッチン用キャビネット。
【請求項３】
請求項１または２において、
補助天板が２つであって、
一方の補助天板の高さが、キッチン用キャビネットのワークトップと面一に一体化され、
他方の補助天板の高さが、前記一方の補助天板よりも低い範囲に設定されたキッチンキャビネット。
【請求項４】
請求項１から請求項３の何れかにおいて、
補助カウンターの奥行きが、前記補助カウンターの幅方向において変化するキッチンキャビネット。
【請求項５】
請求項１から請求項４の何れかにおいて、
複数の補助カウンターが、上下方向に複数段に設けられ、
前記それぞれの補助カウンターの最も奥行きの大きい箇所が、前記補助カウンターの幅方向において、上下方向に重ならないように配置されたキッチン用キャビネット。
【請求項６】
請求項１から請求項５の何れかにおいて、
補助カウンターの幅方向における奥行きの変化が、曲線状であるキッチン用キャビネット。
【発明の詳細な説明】
【技術分野】
【０００１】
本発明は、補助天板の高さ調整が可能なキッチン用キャビネットに関する。
【背景技術】
【０００２】
キッチン用キャビネットにおいては、調理作業をしながらリビングルーム（居室）が見渡せるようにするため、キッチン用キャビネットの奥側を台所の壁に付けずに反対のリビングルーム側（居室側）に向けるようにした配置方法がある。リビングルーム側（居室側）に向いたキッチン用キャビネットの裏面は、意匠パネルや腰壁等で化粧される。このようなキッチン用キャビネットは、対面キッチンとも言われている。
【０００３】
さらに、この対面キッチンの裏面側、即ち、リビングルーム側（居室側）には、軽食や家事などができる補助カウンターを設けることがある。一般に、この補助カウンターは、対面キッチンのカウンターと同じ高さであったり、または、主に大人の身長に合わせ、椅子と組み合わせて丁度良い高さになっており、何れも高さが固定されているものが知られている（特許文献１）。
【０００４】
しかしながら、この補助カウンターは、主に立ち作業となる調理以外に、椅子に座って行なう食事やちょっとした書き物、読書、パソコン作業等の用途にも使用するものである。また、大人であっても身長が高い人や低い人がおり、また、子供も使用するものである。このため、補助カウンターの高さが固定されている場合、実用的には十分に対応できないものであった。
【０００５】
そこで、補助カウンターの高さを、駆動軸を駆動させるモーターを用いて、任意に設定可能としたキッチン用キャビネット（特許文献２）が知られている。
【特許文献１】特開平１１−３１８５９９号公報
【特許文献２】特開２００５−３０４８７４号公報
【発明の開示】
【発明が解決しようとする課題】
【０００６】
しかしながら、特許文献２では、キッチン用キャビネットのカウンターのうち、部屋側に向けて延出された部分を補助カウンターとしており、この補助カウンターの全体が一体的に上下するものである。このため、大人と子供、あるいは、身長の異なる使用者が使用する際は、何れかが不便を感じることになる。
【０００７】
また、補助カウンターの上下機構として、駆動軸と、この駆動軸を駆動させるモータ等を使用するため、これらの機構を取り付ける必要があるばかりか、これらの機構を収容するスペースが必要となる。さらに、駆動軸等の上下機構を構成する部品や配線等が、外部から見えると、キッチンとしての意匠性を害する問題がある。
【０００８】
本発明は、このような課題を解決するためになされたものであり、使う人の身長や用途に合せ、隣接するリビングルーム等の居室側に延出した補助カウンターを複数設け、これらの補助カウンターの高さを調整可能にすることによって、身長の高い人から低い人が使用する場合、あるいは、異なる用途で使用する場合に、使い易い高さで使用することができ、さらには、これらの使用者が同時に使用する場合にも、何れの使用者も不便を感じることがなく、簡易で安価な構成を用い、しかも、意匠性を害することない補助カウンター付きのキッチン用キャビネットを提供することを目的とする。
【課題を解決するための手段】
【０００９】
本発明は、以下のものに関する。
（１）  シンクとコンロとを備えるワークトップと、このワークトップの下に配置されたキャビネットとを有し、このキャビネットの主作業側である台所側、及びこれと対向する居室側の何れもが、壁に面していないキッチン用キャビネットにおいて、前記キャビネットの居室側に複数の補助天板を有し、それらの補助天板の少なくとも一つが、その高さを段階的に調整可能とされたキッチン用キャビネット。
（２）  （１）において、少なくとも一つの補助天板が、その下に設けられたアンダーステーと垂直ラチェット式の金具によって支持され、この垂直ラチェット式の金具が１段ずつ上昇または下降できることによって、前記補助天板の高さが段階的に選択可能となるキッチン用キャビネット。
（３）  （１）または（２）において、補助天板が２つであって、一方の補助天板の高さが、キッチン用キャビネットのワークトップと面一に一体化され、他方の補助天板の高さが、前記一方の補助天板よりも低い範囲に設定されたキッチンキャビネット。
（４）  （１）から（３）の何れかにおいて、補助カウンターの奥行きが、前記補助カウンターの幅方向において変化するキッチンキャビネット。
（５）  （１）から（４）の何れかにおいて、複数の補助カウンターが、上下方向に複数段に設けられ、前記それぞれの補助カウンターの最も奥行きの大きい箇所が、前記補助カウンターの幅方向において、上下方向に重ならないように配置されたキッチン用キャビネット。
（６）  （１）から（５）の何れかにおいて、補助カウンターの幅方向における奥行きの変化が、曲線状であるキッチン用キャビネット。
【発明の効果】
【００１０】
本発明によれば、使う人の身長や用途に合せ、隣接するリビングルーム等の居室側に延出した補助カウンターを複数設け、これらの補助カウンターの高さを調整可能にすることによって、身長の高い人から低い人が使用する場合、あるいは、異なる用途で使用する場合に、使い易い高さで使用することができ、さらには、これらの使用者が同時に使用する場合にも、何れの使用者も不便を感じることがなく、簡易で安価な構成を用い、しかも、意匠性を害することない補助カウンター付きのキッチン用キャビネットを提供することができる。
【発明を実施するための最良の形態】
【００１１】
図１から図６に、本発明のキッチン用キャビネット１の実施形態の一例を示す。本発明のキッチン用キャビネット１としては、シンク２と、コンロ３と、ワークトップ４と、これらの下に配置され、これらを支えるキャビネット５とを有し、それらの主作業側とその対向する側が台所の壁やリビングルーム等の居室の壁に面していないものが挙げられる。
【００１２】
主作業側とは、調理や洗い物などの作業をする際に、それらの作業をする使用者が向かう側で、一般に台所側であり、このキッチン用キャビネット１の主作業側には、使用者が使い易いように、引出しや扉を有する収納が多く設けられる。この主作業側と対向する側とは、主作業側と向かい合う側で、一般にリンビングルーム等の居室側であり、このキッチン用キャビネット１の対向する側（居室側）には、化粧板等により見栄えをよくする工夫がなされる。このように、主作業側とその対向する側の何れもが壁に面していないキッチン用キャビネット１は、いわゆる対面キッチンであり、台所と居室が対面する形のオープンキッチンの一種である。
【００１３】
シンク２は、一般のキッチン用キャビネット１において使用されるものが使用でき、ワークトップ４に設けられる。例えば、樹脂を成形したものやステンレス鋼板をプレス成形加工したものであって、底面および周壁、シンク穴等の排水構造を有するものが使用できる。
【００１４】
コンロ３は、一般のキッチン用キャビネット１において使用されるものが使用でき、ワークトップ４に設けられる。例えば、ガスコンロやＩＨコンロ、電気コンロなどが使用できる。
【００１５】
ワークトップ４は、キッチン用キャビネット１の上面にある天板で、調理や洗い物などの作業のできる台であり、一般のキッチン用キャビネット１において使用されるものが使用できる。例えば、樹脂を成形したものやステンレス鋼板をプレス成形加工したものが使用できる。なお、本発明において、ワークトップ４とは、天板のうち、キャビネット５の上面にある部分のみをいい、対向する側（居室側）に張り出した部分は含まない。この対向する側（居室側）に張出した部分は、補助天板６とする。
【００１６】
キャビネット５は、ワークトップ４の下に配置して設けられ、ワークトップ４、および、これに設けられたシンク２やコンロ３を支えるとともに、収納が設けられるものであり、引出しを備えるものが使用できる。
【００１７】
本発明のキッチン用キャビネット１は、居室側に複数の補助天板６、７を有し、それらの補助天板６、７の少なくとも一つが、使用する人の身長や用途に合わせて、その高さを、段階的に調整可能とされる。これにより、身長の高い人から低い人が使用する場合、あるいは、異なる用途で使用する場合に、使い易い高さで使用することができ、さらには、これらの使用者が同時に使用する場合にも、何れの使用者も不便を感じることがない。
【００１８】
図１、図２に示すように、補助天板６、７とは、天板のうち、対向する側（居室側）に張り出した部分であり、本発明では、少なくとも２枚以上の複数の補助天板６、７を有している。この補助天板６、７は、それぞれの天板の高さが異なるようにされるのが望ましい。例えば、天板の高さがワークトップ４と同じアッパーカウンター６と、それよりも天板の高さが低いアンダーカウンター７を備えるようにする。
【００１９】
図１、図２に示すように、アッパーカウンター６は、ワークトップ４と一体となったものが継ぎ目のない仕上がりとなるため、見た目の点や、継ぎ目の隙間に水滴などが入り込まず、清掃し易いで望ましい。また、天板としての強度が十分であれば、アッパーカウンター６の下にアンダーステー９を特に設ける必要がなく、構造の簡素化が図れる。一方、アッパーカウンター６を、ワークトップ４とは独立した別体とした場合は、不要な場合には、取り除くことができる点で望ましい。
【００２０】
図３、図６に示すように、アンダーカウンター７は、キッチン用キャビネット１のバック７パネル８にねじ１４等で固定されたアンダーステー９、及び、後述する垂直ラチェット式の金具１０によって支持される。また、アンダーカウンター７の高さは、段階的に調整可能とされる。調整可能な高さは、６２５ｍｍから７２５ｍｍとするのが望ましい。６５０ｍｍの高さは、子供が子供用の低い椅子に座った時に使い高さであり、また、一般的なパソコンデスクの高さに相当する。また、７００ｍｍの高さは、一般的な食卓やデスクの高さに相当する。このため、高さの下限側と上限側に２５ｍｍずつの余裕を持たせ、調整可能な高さの範囲を６２５ｍｍから７２５ｍｍとするのが望ましい。
【００２１】
図３、図６に示すように、アンダーカウンター７の高さを調整する昇降装置としては、垂直ラチェット式の金具を用い、この垂直ラチェット式の金具が１段ずつ上昇または下降できることによって、補助天板６、７の高さが段階的に選択可能となるものが望ましい。例えば、２５ｍｍ間隔で段階的に調整可能とすると、６２５ｍｍから７２５ｍｍの範囲では、５段階に調整可能となる。このように、２５ｍｍ間隔で５段階に高さを調整可能とすることで、身長の高い人から低い人が使用する場合、あるいは、異なる用途で使用する場合に、使い易い高さにすることができる。また、連続的ではなく、段階的に高さを調整可能とすることで、これらの段階の中から選択するだけで使用者毎の好みの高さや用途毎の高さを設定でき、また一度設定した高さを記憶し易いため、毎回同じ高さを設定できるメリットがある。さらに、アンダーカウンター７の幅方向の両端に垂直ラチェット式の金具が設けられている場合は、両端の高さを同じ高さに調整し易いため、水平を保つのが容易になる。
【００２２】
垂直ラチェット式の金具としては、一般に昇降式の天板を有する家具で使用するものが使用できる。一例として、図３、図４、図６に示すように、アンダーカウンター７の下面に取り付けたラチェット金具１０と、アンダーステー９の上端の木口面から下方に向けて設けた取付穴１２に設けた取付金具１１を有するものが挙げられる。図示しないが、取付金具１１には、各段階の高さに応じた位置に係止部Ａ（例えば、穴）が設けられ、一方、ラチェット金具１０には、取付金具１１の係止部Ａに係止される係止部Ｂ（例えば、爪）が設けられる。そして、この係止部Ｂは、所望の段階の高さの係止部Ａに、任意に係止される。例えば、係止部Ａが穴であり、係止部Ｂが爪の場合であれば、使用者が操作することにより、爪を飛び出させたり、引っ込ませたりすることが可能とされている。これにより、使用者の好みや用途に応じて、任意の段階の高さの位置の穴のところで、爪を飛び出させ、爪を穴に係止することによって、任意の段階の高さに設定することが可能である。
【００２３】
アンダーカウンター７の材質は、一般のキッチン用キャビネット１において使用される天板と同様の材質のものが使用できる。例えば、木材や樹脂を成形したもの、ステンレス鋼板をプレス成形加工したものなどが使用できる。
【００２４】
図１、図２に示すように、補助天板６、７は２つであって、一方の補助天板６の高さが、キッチン用キャビネット１の天板４と面一に固定され、他方の補助天板７の高さが、前記一方の補助天板６よりも低い範囲とされるのが望ましい。キッチン用キャビネット１の天板４と面一に固定されることにより、ワークトップ４が補助天板６と繋がるので、これらを併せた１つの広い天板として使用できるため、物を置く際や、主作業側から対向する側に料理を移動したりする際に使い勝手がよい。また、一方の補助天板７の高さが低いことで、使用者の好みや用途に応じて高さを調整できる。さらに、補助天板６、７が２つあり、一方の補助天板７の高さが他方の補助天板６よりも低い範囲とされることで、大人と子供などのように身長差のある使用者や、食事とパソコン作業のように用途や目的の異なる使用者が同時に使用にも対応できる。
【００２５】
図１、図２に示すように、補助カウンター６、７の奥行き１３は、その幅方向で変化するのが望ましい。これにより、一部の奥行き１３が他の部分の奥行き１３に比べて小さくなるので、補助天板６、７の存在による圧迫感を軽減できる。また、主作業側から対向する側への視界を確保することができ、例えば主作業側のお母さんから対向する側の床付近にいる子供の様子を見ることが可能となる。特に、奥行き１３は、シンク２側を小とし、コンロ３側を大とすることで、立ち時間の長いシンク２側からの見通しが良くなり、子供への配慮がよりし易くなる。さらに、補助天板６、７の奥行き１３は、テーブルとしての機能を有するよう、少なくともカウンターの幅方向の一部が、配膳や椅子に座る者のニースペースとなるのに十分な奥行き１３、例えば２００ｍｍ以上、を有するのが望ましい。
【００２６】
補助天板６、７の奥行き１３は、最大で５００ｍｍ程度とするのが望ましい。この場合は、補助天板６、７がテーブルとしての機能を持ちつつ、圧迫感を軽減できるため望ましい。また、補助天板６、７の奥行き１３が最も小さくなる部分を、ワークトップ４の幅方向の中央付近に設けた場合は、この位置で、対向する側の使用者が主作業側へ近づくことができるので、対向する側の使用者にとって、コンロ３側からもシンク２側からも、料理などを補助天板６、７に持ち運び易いので望ましい。
【００２７】
図１、図２に示すように、複数の補助天板６、７は、上下方向に複数段に設けられ、それぞれの補助天板６、７の最も奥行き１３の大きい箇所が、ワークトップ４の幅方向において、上下方向に重ならないように配置されるのが望ましい。これにより、一方の補助天板７の奥行き１３の大きい部分を使用する場合に、もう一方の補助天板６が邪魔にならない。このため、大人と子供のように身長差のある使用者や、用途・目的の異なる使用者が同時に使用する場合でも、両者に使い勝手がよいキッチンキャビネット１を提供できる。また、上下方向に高さの異なる複数段の補助天板６、７が設けられていても、身長や用途・目的毎に、使用者が使用する位置が幅方向で異なるため、これらの使用者が同時に使用することができる。
【００２８】
図１、図２に示すように、補助天板６、７の幅方向における奥行き１３の変化は、曲線状とするのが望ましい。これにより、リラックスした雰囲気や、和やかさを演出することができる。また、飛び出し量の変化が直線的で角がある場合に比べてより安全性を確保できる。
【００２９】
本発明のキッチンキャビネット１は、生活シーンや家族構成等に合せて使用することができ、アッパーカウンター６の対向する側をテーブルや調理作業カウンターとして使用できる。アンダーカウンター７は子供が食事や作業、学習用の机として使用できる。特に、ワークトップ越しの受渡しや親子の共同調理作業の際に、家族のコミュニケーションを図ることができる点で望ましい。
【実施例】
【００３０】
（実施例１）
図１から図６に、本発明のキッチン用キャビネット１の実施例を示す。本実施例のキッチン用キャビネット１は、シンク２と、コンロ３と、４と、これらの下に配置されて、これら支えるキャビネット５とを有し、それらの主作業側とその対向する側が壁に面していない、いわゆる対面式システムキッチンを用いた。
【００３１】
シンク２は、ステンレス鋼板をプレス成形加工したものであって、底面および周壁、シンク穴等の排水構造を有するものを使用した。コンロ３は、ガスコンロを使用した。ワークトップ４は、ステンレス鋼板をプレス成形加工したものを使用した。キャビネット５は、収納として引出しを備えるものを使用した。
【００３２】
本実施例のキッチン用キャビネット１は、主作業側と対向する側に、２枚の補助天板６、７を有し、それらの補助天板６、７の一つの高さを、使用する人の身長や用途に合わせて、段階的に調整可能にした。
【００３３】
図１、図２に示すように、本実施例では２枚の複数の補助天板６、７を設けた。これらの補助天板６、７は、それぞれの天板の高さが異なっており、ワークトップ４と同じ高さのアッパーカウンター６と、それよりも低いアンダーカウンター７を備えた。アッパーカウンター６は、ワークトップ４と一体とし、継ぎ目のない仕上がりとした。
【００３４】
図３、図６に示すように、アンダーカウンター７は、キッチン用キャビネット１のバック７パネル８にねじ１４で固定されたアンダーステー９と垂直ラチェット式の金具１０によって支持した。また、アンダーカウンター７の高さは、段階的に調整可能とした。調整可能な高さは、６２５ｍｍから７２５ｍｍとし、５段階とした。
【００３５】
垂直ラチェット式の金具としては、一般に昇降式の天板を有する家具で使用するものである、向陽技研製  型式ＫＵ−４  ＯＶ  ＨＲを使用した。この垂直ラチェット式の金具は、図３、図４、図６に示すように、アンダーカウンター７の下面に取り付けたラチェット金具１０と、アンダーステー９の上端の木口面から下方に向けて設けた取付穴１２に設けた取付金具１１を有する。図示しないが、取付金具１１には、各段階の高さに応じた位置に係止部Ａとして穴が設けられ、一方、ラチェット金具１０には、取付金具１１の係止部Ａに係止される係止部Ｂとして爪が設けられる。そして、この係止部Ｂは、所望の高さの係止部Ａに、任意に係止される。使用者が操作することにより、爪を飛び出させたり、引っ込ませたりすることが可能とされている。これにより、使用者の好みや用途に応じて、任意の段階の高さの位置の穴のところで、爪を飛び出させ、爪を穴に係止することによって、任意の段階の高さに設定することが可能である。
【００３６】
図１、図２に示すように、補助カウンター６、７の奥行き１３は、その幅方向で変化させた。また、奥行き１３は、シンク２側を小とし、コンロ３側を大とした。補助天板６、７の奥行き１３は、テーブルとしての機能を有するよう、少なくともカウンターの幅方向の一部が、配膳や椅子に座る者のニースペースとなるのに十分な奥行き１３である４００ｍｍ以上となるようにした。また、補助天板６、７の奥行き１３が最も小さくなる部分を、ワークトップ４の幅方向の中央付近に設けた。
【００３７】
図１、図２に示すように、２枚の補助天板６、７は、上下方向に２段に設けられ、それぞれの補助天板６、７の最も奥行き１３の大きい箇所が、ワークトップ４の幅方向において、上下方向に重ならないように配置した。また、補助天板６、７の幅方向における奥行き１３の変化は、曲線状とした。
【００３８】
（実施例２）
本実施例では、実施例１と同様に、２枚の複数の補助天板６、７を設けた。これらの補助天板６、７は、それぞれの天板の高さが異なっており、ワークトップ４と同じ高さのアッパーカウンター６と、それよりも低いアンダーカウンター７を備えた。アッパーカウンター６は、ワークトップ４とは一体化していない別体とした。これ以外の構成は実施例１と同様である。このように、アンダーカンター７とアッパーカウンター６の両者を、ワークトップ４とは独立した別体としたことにより、使用しなくなった場合には取り除くことができ、他の補助カウンターと組み合せたり、補助カウンターのあった箇所に壁を設けることもでき、融通性があるため使い勝手がよかった。
【００３９】
図３、図６に示すように、アンダーカウンター７は、キッチン用キャビネット１のバックパネル８にねじ１４で固定されたアンダーステー９によって支持した。また、アンダーカウンター７の高さは、段階的に調整可能とした。調整可能な高さは、６２５ｍｍから７２５ｍｍとし、５段階とした。
【００４０】
図示しないが、アッパーカウンター６も、アンダーカウンター７と同様に、キッチン用キャビネット１のバックパネル８に、ねじ１４で固定されたアンダーステー９によって支持した。また、アッパーカウンター６の高さも、アンダーカウンター７と同様に段階的に調整可能とした。調整可能な高さは、７２５ｍｍから８２５ｍｍとし、５段階とした。
【図面の簡単な説明】
【００４１】
【図１】本発明のキッチンキャビネットの実施例の斜視図である（アンダーカウンターを昇降装置により上げた状態）。
【図２】本発明のキッチンキャビネットの実施例の要部の平面透視図である。
【図３】本発明のキッチンキャビネットの実施例に使用するアンダーステーのＢ−Ｂ断面図である（アンダーカウンターを昇降装置により上げた状態）。
【図４】本発明のキッチンキャビネットの実施例に使用するアンダーステーのＡ−Ａ断面図である。
【図５】本発明のキッチンキャビネットの実施例の斜視図である（アンダーカウンターを昇降装置により一番下に下げた状態）。
【図６】本発明のキッチンキャビネットの実施例に使用するアンダーステーのＢ−Ｂ断面図である（アンダーカウンターを昇降装置により一番下に下げた状態）。
【符号の説明】
【００４２】
１…キッチン用キャビネット              ２…シンク
３…コンロ                              ４…ワークトップ（天板）
５…キャビネット                        ６…アッパーカウンター（補助天板）
７…アンダーカウンター（補助天板）      ８…バックパネル
９…アンダーステー                    １０…ラチェット金具
１１…取付金具                          １２…取付穴
１３…奥行き                            １４…ねじ
【図１】
2008212171.tif 000003
【図２】
2008212171.tif 000004
【図３】
2008212171.tif 000005
【図４】
2008212171.tif 000006
【図５】
2008212171.tif 000007
【図６】
2008212171.tif 000008